(57)【要約】【課題】  従来のノートパソコンのファン式冷却装置で問題であった、ファンの風切り音をなくし、静かで効率良くノートパソコンを冷却する、冷却用のノートパソコン用冷却座布団を提供するものである。【解決手段】  ノートパソコン用冷却座布団は繰り返し使える保冷剤と冷却効果を高め、また、使用時の結露を防ぐ素材で覆った外装ケースから成る。本発明は、冷凍庫で冷やして使用するため、強力にノートパソコンの熱を吸熱することができ、さらに、冷却効果が長く持続する。また、繰り返し使えるため経済的である。【選択図】図７
2012014304.tif 000002
【特許請求の範囲】
【請求項１】
ノートパソコン使用時に発生する熱を、冷凍庫で冷やした保冷剤と熱伝導の良い素材を使用し、冷却効果保持のための断熱素材を側面や底部に設け、さらに結露の付かない素材で結露の発生する部分または全体を覆った外装ケースまたは外装カバーからなるノートパソコン用冷却座布団。
【請求項２】
請求項１の保冷剤と外装ケースまたは外装カバーが一体となった形状のノートパソコン用冷却座布団。
【発明の詳細な説明】
【技術分野】
【０００１】
本発明は、ノートパソコン使用時に発生する熱を吸熱するノートパソコン用冷却座布団に関する。
【背景技術】
【０００２】
現在のノートパソコンは、製品に「機器の底部は熱くなりますので、ひざの上での使用時には低温やけどにご注意ください」と表示があるように、長時間使用するほど熱を持ち、注意書きのようなやけどの他、高熱のためハードウェアに不具合が生じることがある。
従来のノートパソコン用熱対策グッズには、デスクとノートパソコンの接地面に空間を持たすことで放熱させる仕組みのものや、熱伝導率のよい冷却素材を利用して放熱するタイプのもの、また、ファン稼動による風により熱を篭らせないファン式など、ノートパソコンが発生する熱の放熱効果を施したものがある。
【０００３】
例えば、ノートパソコンの底部に設置し、内蔵したファンでの送風により、ノートパソコンの底部を冷却するファン式の場合、送風により冷却するため、冷却効果が良い場合が多いが、夏場で室内にエアコンが効いていない場合は室温が高いため、冷却効果が落ちる。また、電源を必要とするため電源を確保しなければならない。さらに、このようなファン式冷却装置はファンによる風切り音が大きく、静かな場所や深夜に利用する際には騒音が気になる、という問題点があり、動画を見るときの音声が聞き取りにくいという欠点もある。
そのため、冷却効率が良く、騒音の発生しない、どこにでも設置できるノートパソコンの冷却装置が求められていた。
【発明の概要】
【発明が解決しようとする課題】
【０００４】
本発明は従来のノートパソコンのファン式冷却装置で問題であった、ファンの風切り音をなくし、静かで効率良くノートパソコンを冷却する、保冷剤を用いた冷却用のノートパソコン用冷却座布団を提供するものである。
【課題を解決するための手段】
【０００５】
本発明はノートパソコン使用時に発生する熱を吸熱するノートパソコン用冷却座布団に関するものであり、この冷却座布団は繰り返し使える保冷剤と使用時の結露を防ぐための保水性・浸水性・気化性に優れたレーヨン系不織布系の素材やポリエステル系素材やナイロン系素材、また、それらに天然素材を混合した素材等でできた結露を防ぐ素材で覆った外装ケースから成る。
【０００６】
保冷剤は、水とポリアクリル酸ナトリウム等（防腐剤等を含む）からなる高吸水性樹脂（アクリル酸重合体部分ナトリウム塩架橋物）系の液体又はゲル状の内容物を使用し、これをポリエチレン系やナイロン系などの素材等から成る成形ブロー容器に入れ密封したもの（ハードタイプ）、又は、ポリエチレン系やナイロン系などの素材等からなるフィルムで密封したもの（ソフトタイプ）であり、繰り返し冷凍庫で冷やして使えるものである。大きさは、冷却座布団の外装ケースに入る大きさであればよい。
冷却座布団の外装ケースは、内側に熱伝導の良い素材、例えばアルミニウム、ステンレス等を用い、この素材の上面以外の側面と底面を断熱素材で覆い、上面以外からの冷気の放出を防ぐ。さらに、保水性・浸水性・気化性に優れたレーヨン系不織布系の素材やポリエステル系素材やナイロン系素材、また、それらに天然素材を混合した素材等の結露を防ぐ素材で全体を覆い使用時の結露を防止し、ノートパソコンに結露が付着することで起こる故障を防ぐ。
外装ケースの大きさは、各種販売されているノートパソコンに対し、縦横とも約８０％〜１５０％の大きさが使いやすくて好ましく、更に好ましくは、使用するノートパソコンに対し９０％〜１２０の縦横のサイズである。
厚みは５ｍｍ〜１００ｍｍのものが好ましく、更に好ましくは１０ｍｍ〜５０ｍｍである。
以上の構成よりなる、ノートパソコン用冷却座布団を提供する。
【発明の効果】
【０００７】
ノートパソコン使用時に発生する熱が、ノートパソコンの下に敷いたノートパソコン用冷却座布団により吸熱され、熱によるノートパソコンの故障や不具合を防ぐことができる。
本発明のノートパソコン用冷却座布団は可動部分がなく、電気によるファンを有していないため無音であり、静かな場所や深夜のノートパソコン使用時などに好適である。
ノートパソコン用冷却座布団の外装ケースは結露の付かない素材で覆われているため、パソコンに水滴が付着し故障の原因となることを防ぐ。
【０００８】
繰り返し冷凍庫で冷やして使えるため経済的である。
すでに高熱による不具合の見られるノートパソコンの熱を急速に取り除きたいときには、冷凍庫で冷やして使用する本発明のノートパソコン用冷却座布団は特に既存の冷却グッズより効果を発揮し、強力に吸熱する。
吸熱効果持続時間は、保冷剤の内容物の量によるが、保冷剤の大きさがＡ５サイズのノートパソコン大で厚みが１０ｍｍで、内容物の量が５００ｇ〜６００ｇの場合、２時間〜３時間（機種・使用場所・季節・室温等によって差が生じる）である。
【図面の簡単な説明】
【０００９】
【図１】本発明のノートパソコン用冷却座布団の保冷剤（ハードタイプ）の斜視図
【図２】図１の断面図
【図３】ノートパソコン用冷却座布団の外装ケースの挿入口の位置を示す斜視図
【図４】図３の断面図
【図５】図３に保冷剤を挿入する方法を示す斜視図
【図６】外装ケースの形状の例を示す斜視図
【図７】本発明の使用形態を示す斜視図
【図８】保冷剤と外装ケースが一体となったノートパソコン用冷却座布団の断面図
【図９】保冷剤の内容物がフィルムなどで密封されたソフトタイプの斜視図
【図１０】図９の断面図
【図１１】外装カバーの形状の例を示す斜視図
【発明を実施するための形態】
【００１０】
以下、本発明の実施の形態を図１〜図１１に基づいて説明する。
ノートパソコン用冷却座布団の保冷剤（１）は５ｍｍ〜１００ｍｍの厚み（２）があり、ノートパソコンの８０％〜１５０％ほどの大きさである。（図１）
保冷剤（１）は、水とポリアクリル酸ナトリウム等（防腐剤等を含む）からなる高吸水性樹脂（アクリル酸重合体部分ナトリウム塩架橋物）系の液体又はゲル状の内容物（４）からなり、この内容物（４）をポリエチレン系やナイロン系などの素材等から成るハードタイプの保冷剤を密封する容器（３）に密封する。（図２）
ノートパソコン用冷却座布団の外装ケース（５）は、側面に保冷剤を挿入する挿入口（６）を設けているが（図３）、この挿入口（６）はデザインにより、前後面（図３（ａ））又は左右面（図３（ｂ））又は上面（図３（ｃ））に設ける。
【００１１】
主に安定したデスク上で使用することを想定しているため、冷却効果が弱まった場合に、指先で確認ができるようにと、保冷剤をノートパソコンを動かすことなく簡単に保冷剤（１）を挿入口（６）から出し入れできるように挿入口（６）に蓋を設けていないが（図５）、不安定な場所（膝の上など）で使用する場合には、蓋がないと外装ケース（５）から保冷剤（１）が出てきてしまう恐れがあるため、挿入口（６）に蓋（１１）があるデザインの外装ケース（５）も含む（図６（ｃ）（ｄ））。
【００１２】
また、ノートパソコン用冷却座布団を使用するにあたって、キーボード面が外装ケースの高さ分、高くなってしまうのを嫌う場合等、ノートパソコン専用デスクに、本発明のノートパソコン用冷却座布団が収まる大きさの窪み（掘りコタツのような）を設けた場合の外装ケースは前後左右からではなく上面から入れられるよう上面に蓋を設け、上面から保冷剤（１）を外装ケース（５）に入れる形状が望ましい。（図６（ｃ））
【００１３】
外装ケース（５）は、内側に熱伝導の良い素材（７）、例えばアルミニウム、ステンレス等を用い、外装ケース（５）の上面以外の側面と底面を断熱素材（８）で覆い、上面以外からの冷気の放出を防ぐ。さらに、保水性・浸水性・気化性に優れたレーヨン系不織布系の素材やポリエステル系素材やナイロン系素材、また、それらに天然素材を混合した素材等でできた結露を防ぐ素材（９）で全体、又は結露の発生しそうな部分（上面等）を覆い、使用時の結露を防止する。図４
結露を防ぐ素材（９）部分は、色や柄などで個性を出すことができ、消費者のセンスに応えることができる部分である。
【００１４】
外装ケースはノートパソコンを上面に設置したとき、ノートパソコンの重量及び、その使用に耐える強度を持つものとする。
冷凍庫で冷やしたノートパソコン用冷却座布団の保冷剤（１）を外装ケース（５）に挿入し使用するのが基本（図５）だが、外装ケース（５）に入れることができれば、保冷剤（１）は冷凍食品や生ものなどのケーキを購入したときに付属でついてくる小型の保冷剤を入れて使うこともできる。行楽時に使用する保冷バック用の保冷剤も同様に、外装ケース（５）に入れることができれば代用できるため、これらの保冷剤を有効利用できる利点がある。
【００１５】
ノートパソコン用冷却座布団はデスク上で使用することを想定しているが、ノートパソコンを不安定な場所（膝の上など）で使用する場合、外装ケース（５）から保冷剤（１）が出てきてしまう恐れがあり、また、小型の保冷剤を数個外装ケース（５）に入れて使う場合などのために、外装ケース（５）の挿入口（６）に、外装ケースの蓋（１１）を設けた形状も含まれる。図６
【００１６】
ノートパソコンの底面に放熱のための空気口があるノートパソコン用として、外装ケース（５）の上面に空気を通す窪み（１０）を設けたデザイン形状も含まれる。図８（ａ）は一文字型に窪み（１０）のあるデザインの例。図８（ｂ）は十字型に窪み（１０）のあるデザインの例である。
冷凍庫で冷やした保冷剤（１）を挿入した外装ケース（５）のノートパソコン用冷却座布団を下に敷き、上にノートパソコン（１１）を設置して使用する。（図７）
【００１７】
冷却効果が弱まった場合は、外装ケース（５）から保冷剤（１）を取り出し、再び冷凍庫で冷やして繰り返し使用できる。長時間ノートパソコンを使用するときは、交換用に保冷剤（１）を２つ以上所有し、冷却効果が弱くなったら取り替えながら交互に使用すると長時間の使用でも、熱によるノートパソコンの不具合や故障の心配がなく快適に使用できる。
【実施例】
【００１８】
ノートパソコン用冷却座布団は、保冷剤（１）と外装ケース（５）が一体となったノートパソコン用冷却座布団も含まれる図８。一体型は、保冷剤（１）を外装ケース（５）に挿入する手間が省ける利点があるが、冷却効果が弱まり別のノートパソコン用冷却座布団と交換するときにノートパソコンを動かさなければならない欠点がある。
【００１９】
膝の上などで使用する場合、身体に触れる部分が硬いと使い心地が悪いため、滑り止めを兼ねた低反発ウレタン系の身体にあたりが良い素材をノートパソコン用冷却座布団の下部に設ける形状も含まれる。
【００２０】
保冷剤（１）は、密封素材の形状が変形しないハードタイプ（図１）とフィルムで密封したソフトタイプ（図９）があり、ソフトタイプには冷凍庫で冷やした場合、硬く固まるタイプと硬く固まらないソフトタイプの内容物を含む。
【００２１】
内容物の容量の多いソフトタイプの保冷剤（１）は、冷凍庫内で水平を維持しつつ冷却しなくてもノートパソコンを設置する面が平らになるよう内容物が偏らないように内部に仕切り（１４）を設けた形状も含む。図１０
保冷剤の内容物をフィルム等で密封しているソフトタイプの保冷剤はノートパソコンを上面に設置したとき、ノートパソコンの重量及び、その使用に耐える強度を持つものとする。
【００２２】
内側に熱伝導の良い素材を設け、その外側の側面と下部は冷却効果を高めるための断熱素材を設け、さらにその外側を結露の付かない素材で覆った、折りたためる素材等でできた外装カバーも含まれる。図１１
外装カバーの利点は、厚みがなく折りたためるため外装ケースより保管場所を取らないことである。外装カバーには、ファスナーなどで中身が飛び出さないよう封ができる形状と、封ができない形状も含まれる。図１１
保冷剤（１）と外装カバーが一体となるノートパソコン用冷却座布団も含まれる。
【００２３】
外装ケース（５）や外装カバー（１５）には、保冷剤（１）の温度を示す機能を持たせたものも含まれる。例えば、外装ケース（５）や外装カバー（１５）の上面であるノートパソコン設置面の温度が２０度〜２５度になると色が変わって保冷剤の取り替え時期を教えてくれる機能等。
【符号の説明】
【００２４】
１  保冷剤
２  厚み
３  保冷剤を密封する容器（ハードタイプ）
４  保冷剤の内容物
５  外装ケース
６  挿入口
７  熱伝導のよい素材
８  断熱素材
９  結露を防ぐ素材
１０  窪み
１１  外装ケースの蓋
１２  ノートパソコン
１３  保冷剤を密封するフィルム（ソフトタイプ）
１４  仕切り
１５  外装カバー
１６  外装カバーの挿入口
１７  外装カバーの封をする部分
１８  温度を感知する機能の素材
【図１】
2012014304.tif 000003
【図２】
2012014304.tif 000004
【図３】
2012014304.tif 000005
【図４】
2012014304.tif 000006
【図５】
2012014304.tif 000007
【図６】
2012014304.tif 000008
【図７】
2012014304.tif 000009
【図８】
2012014304.tif 000010
【図９】
2012014304.tif 000011
【図１０】
2012014304.tif 000012
【図１１】
2012014304.tif 000013